(57)【要約】      （修正有）【課題】練習時にもラウンド時にも装着が出来て、手打ちによるゴルフスイングをボディターンによるスイングに矯正するスイング矯正器具を提供する。【解決手段】器具１は２つのスポンジ製のパッド２と２つのパッドに挿通しているショルダーゴム３とショルダーゴムの両端をＹ字板に挿入してリング状態を形成し、更に左右のＹ字板を連結するゴムバンド４で構成されている。２つのスポンジ製のパッドとリング状のショルダーゴムの間に左右の腕を通しＹ字板の付近を持って左右の肩に掛け、さらに両わきの下とパッドの間に適度なテンションが加わる様にゴムバンドの長さをテープアジャスターによって調整する。【選択図】図１
0003185719.tif 000002
【実用新案登録請求の範囲】
【請求項１】
ゴルフスイングを矯正する器具に関して、更には当該器具にはスポンジ製のパッドが２つあり、そのパッドは円筒形で中心に貫通している穴がある、その貫通した穴にはパッドをわきの下に保持するためのショルダーゴムが挿通され、ショルダーゴムの両端をY字板のフックに挿入することでリング状態を形成している、左右のY字板は帯状で伸縮が可能なゴムバンドによって連結されており、ゴムバンドの中間には長さ調整用のテープアジャスターがついて当該器具を構成している、当該器具を人体に装着しパッドを左右のわきの下に装設し、ショルダーゴムとゴムバンドによってわきの下に適度にテンションが加わる様に強さを調整する、スイング時には人体の前面で両腕によりクラブをグリップしアドレスの姿勢を取るが、左右の腕とクラブによって逆三角形あるいは逆五角形の状態が形成される、この時わきの下に装設されているスポンジ製のパッドは左右の腕と胸部によって圧縮され、圧縮されたパッドには反発して復元の力が生じる、圧縮と反発の均衡を保つために常に左右のわきの下には締めつけの力が無意識に働き、このためにスイング時には背骨を中心とした上半身の捻転に意識を集中することが出来、練習時、ラウンド時を問わずボディターンによるスイングの矯正を可能にする当該器具。
【請求項２】
前記請求項１のスポンジ製のパッドの形状が角柱形を形成しているゴルフスイング矯正器具。
【請求項３】
前記請求項１，２のスポンジ製のパッドの中央部分にくびれ部分を形成したことを特徴とする前記請求項１のゴルフスイング矯正器具。
【考案の詳細な説明】
【技術分野】
【０００１】
本考案は、矯正器具に関し、更には詳細には人体の上半身に装着することでゴルフスイングを矯正する器具に関する。  -
【背景技術】
【０００２】
リング状のスイングプレーンを形成し、そのプレーンに沿ってスイングすることでゴルフスイングを会得させる器具やゴルフスイング時に腕とクラブシャフトに取り付け、腕とクラブシャフトの間隔を制御するゴルフスイング矯正器具などが考案され一部は市販されている。
【先行技術文献】
【特許文献】
【０００３】
特開２００６−０２６０５５
特開２００４−２２９７５４
特開２００３−１４４５９６
【考案の概要】
【考案が解決しようとする課題】
【０００４】
ゴルフスイングは大きく分けて２に分類される、１つ目は手打ちによるスイング、２つ目はボディターンによるスイングである、アマチュアのスイングは特別な指導を受けていない場合が多いので大半は手打ちスイングである、ゴルフスイングは両わきを締めて背骨を中心として上半身を捻転させる、いわゆるボディターンが理想的であり、プロと言われている人はこのボディターンを身に着けている、従来の簡易的なスイング矯正方法としては練習時に両わきにタオルを挟んでスイングする、あるいは布でパッドを作りわきに挟んでスイングする方法などが一般的なボディターンのマスター方法である、しかしこの方法は練習時には意識が集中しているために再現できるが、ラウンド時にはいろいろな状況が発生するために意識が緩慢になり再現は難しい、本考案の課題は練習時にも実際のラウンド時も装着できるゴルフスイング矯正器具を提供することである。
【課題を解決するための手段】
【０００５】
本考案者は、前記目的を達成すべき検討を重ねた所、人体のわきの下スポンジ製のパッドを挟み、そのパットがスイング中に落下しない方法を見出し本考案に達した。
【考案の効果】
【０００６】
本考案の当該器具は練習時には衣服の上から装着するが、スポンジ製のパッドは両わきの下に収まる大きさであり当該器具をラウンド前に身体に装着した場合、パットはわきの下にゴムバンドは背中に密着するので外部からは当該器具を装着していることはわからない。
また、当該器具を装着すれば練習中にもラウンド中にも両わきの下には常に装着感があり、アドレス時ゴルフクラブを握る際に両わきの下に圧縮と反発の均衡を保つために締めつけの力が無意識に働くために、スイング時には背骨を中心とし上半身を捻転させる事のみに意識を集中すれば良いので、容易にボディスイングの会得が期待できる。
【図面の簡単な説明】
【０００７】
【図１】本考案の請求項１の実施例を示す立体図である。
【図２】本考案の請求項１の当該器具の前面から見た装着図である。
【図３】本考案の請求項１の当該器具を背面から見た装着図である。
【図４】本考案の請求項１の当該器具の側面から見た装着図である。
【図５】本考案の請求項3の実施例を示す立体図である。
【図６】符号６は本考案の請求項3のパッドの立体図である。            符号７は本考案の請求項２のパッドに請求項3を施したパッドの立体図である。
【図７】本考案の請求項３のパッドの立体断面図である。
【図８】本考案の請求項３のパッドを装設した胸部断面図である。
【図９】本考案の請求項３のパッドの組立図である。
【考案を実施するための最良の形態】
【０００８】
本考案は、ゴルフスイングの矯正器具である、当該器具を構成するスポンジ製のバッドを左右のわきの下に装設する、パッドの中心には貫通した穴があり穴に挿通したショルダーゴムはその両端をY字板のフックに挿入することでリング状態を形成している、このショルダーゴムを両肩に掛け、連結しているゴムバンドの長さを適度に調整し人体に装着する、わきの下に装設されたパッドには適度なテンションが加わるので常に装着感の体感が継続できる、またアドレス時には両腕によりクラブをグリップすると両腕と胸部とによってわきの下に装設されたパッドは圧縮される、パッドの圧縮と反発の力の均衡を保つために無意識にわきを締める力が働くので、スイング時には背骨を中心として上半身を捻転すことに意識が集中でき、ボディターンによるスイングの会得が容易にできるスイング矯正器具。
【実施例】
【０００９】
本考案の実施例を図面によって説明する。
図１は本考案の請求項１の実施例を示す３D図である。
当該器具１の両先端にはスポンジ製のパッド２が設置され、パッド２の中心部は穴が貫通している、この貫通している穴にショルダーゴム３が挿通されている、ショルダーゴム３の端末はY字板１１のフック部分に挿入されておりリング状態を形成している、左右のY字板１１はゴムバンド４によって連結されている。
【００１０】
図２は請求項１の当該器具１を人体に装着し前面から見た図である、人体の両わきにはスポンジ製のパッド２が装設されており、ショルダーゴム３を両肩に掛けた状態を表している。
図３は請求項１の当該器具１を人体に装着し背面から見た図である、人体の背面には当該器具１のゴムバンド４によって左右のY字板５が連結されている。
ゴムバンド４には長さ調整用のテープアジャスター５がありこのテープアジャスター５でスポンジ製のパッド２がわきの下に適度なテンションで装着される様に調整する。
【００１１】
図４請求項１の当該器具１を人体に装着した状態を側面から見た図である。
図５請求項２の実施例を示す３D図である。
スポンジ製のパッド６の中央部分にはくびれが形成されている。
図６は請求項１のパッドの中央部分にくびれを形成した円筒状と角柱状のスポンジ製パッドである。
６は円筒状のパッドにくびれを形成したものであり、７は角柱状のパッドにくびれを形成したものである。
【００１２】
図７はスポンジ製のパッド６の断面図である、パッドの外周にはカバー８がある。
図８は請求項３のパッド６を装設した胸部断面図である、わきの下に装設されているスポンジ製のパッド６は中央にくびれが形成されており人体の胸部１０と両わきの腕９に挟まれ状態を表している、スポンジ製のパッド６の中央にくびれが形成されているために装設後に上半身に左右の捻転等の動作を加えてもスポンジ製のパッド６はくびれ形状によって装着時のわきの下の位置より前後への移動が抑制される。
【００１３】
図９は請求項３のパッド６の組立図である、スポンジ製パッド６の中心部の穴にはショルダーゴム３が挿通されている、ショルダーゴム３の両端にはY字板１１に挿入するための穴が形成されている、ショルダーゴム３の両端の穴をY字板１１のフックに挿入することでショルダーゴム３はリング状態を形成する。
【符号の説明】
【００１４】
１：請求項１の当該矯正器具
２；請求項１のスポンジ製のパッド。
３：ショルダーゴム。
４：ゴムバンド。
５：長さ調整用テープアジャスター。
６：請求項3の円筒型スポンジ製のパッド。
７：請求項２の角柱型スポンジ製のパッドに請求項３を施した図
８：請求項3の円筒型スポンジ製のパッドのカバー。
９；人体の上腕部。
１０：人体の胸部。
１１：Y字板
【図１】
0003185719.tif 000003
【図２】
0003185719.tif 000004
【図３】
0003185719.tif 000005
【図４】
0003185719.tif 000006
【図５】
0003185719.tif 000007
【図６】
0003185719.tif 000008
【図７】
0003185719.tif 000009
【図８】
0003185719.tif 000010
【図９】
0003185719.tif 000011